(57)【要約】【課題】  建物の室内の熱の損失を抑制することができる建物用コンテナを提供する。【解決手段】  本発明に係る建物用コンテナ１１は、下梁１２で囲まれて矩形状を呈する断熱性の床板１３と、上梁１４で囲まれて矩形状を呈する断熱性の天板１５と、床板１３の４つの角部１３ａ及び天板１５の４つの角部１５ａをそれぞれ連結する４つの柱部材１６と、下梁１２の上面を覆う断熱性の下梁被覆部と、上梁１４の下面を覆う断熱性の上梁被覆部とを備える。【選択図】  図１
2018096179.tif 000002
【特許請求の範囲】
【請求項１】
下梁で囲まれて矩形状を呈する断熱性の床板と、
上梁で囲まれて矩形状を呈する断熱性の天板と、
前記床板の４つの角部及び前記天板の４つの角部をそれぞれ連結する４つの柱と、
前記下梁の上面を覆う断熱性の下梁被覆部と、
前記上梁の下面を覆う断熱性の上梁被覆部とを備えることを特徴とする建物用コンテナ。
【請求項２】
前記下梁被覆部が前記床板と一体成形され、前記上梁被覆部が前記天板と一体成形されていることを特徴とする請求項１に記載の建物用コンテナ。
【請求項３】
前記床板及び前記天板の間に設けられて室内を区画する断熱性の壁板を備え、該壁板の下部及び上部がそれぞれ前記下梁被覆部及び前記上梁被覆部を構成することを特徴とする請求項１に記載の建物用コンテナ。
【請求項４】
前記床板及び前記天板の間に設けられて室内を区画する断熱性の壁板が前記柱に支持され、該柱が前記壁板の室外側に位置することを特徴とする請求項１乃至３のいずれか１項に記載の建物用コンテナ。
【発明の詳細な説明】
【技術分野】
【０００１】
本発明は、植物工場やコンテナハウス等の建物を構成する建物用コンテナに関する。
【背景技術】
【０００２】
植物工場やコンテナハウス等の建物を構成する建物用コンテナとして、例えば特許文献１に記載のコンテナ型ユニットが知られている。このコンテナ型ユニットは、同文献の図１及び２に記載されているように、高さ方向及び横方向（長さ方向、幅方向）に連結することができ、連結状態においては隣り合うコンテナ型ユニットが柱部材同士、梁同士で当接する。
【０００３】
図８は、このコンテナ型ユニットのような建物用コンテナ同士が連結した状態を示し、図９は、図８のＡ−Ａ線に沿った断面、図１０は、図８のＢ−Ｂ線に沿った断面、図１１は、図８のＣ−Ｃ線に沿った断面、図１２は、図８のＤ−Ｄ線に沿った断面、図１３は、図８のＥ−Ｅ線に沿った断面、図１４は、図８のＦ−Ｆ線に沿った断面を示す。
【０００４】
建物用コンテナ１は、下梁２で囲まれた平面視矩形状の床板３と、上梁４で囲まれた平面視矩形状の天板５と、床板３の４つの角部３ａ及び天板５の４つの角部５ａをそれぞれ連結する４つの柱部材６とを備え、少なくとも連結状態で長さ方向又は幅方向の両端に位置する建物用コンテナ１は、さらに、天板５及び床板３により上下を区画された室内の横方向を区画する壁板７を備える。
【０００５】
また、床板３は、室内側の板体３ｂと室外側の板体３ｃとにより断熱材３ｄが挟まれて、天板５は、室内側の板体５ｂと室外側の板体５ｃとにより断熱材５ｄが挟まれて、壁板７は、室内側の板体７ａと室外側の板体７ｂとにより断熱材７ｃが挟まれて、それぞれ構成されている。
【先行技術文献】
【特許文献】
【０００６】
【特許文献１】国際公開第２０１２／０７０２８１号公報
【発明の概要】
【発明が解決しようとする課題】
【０００７】
ところで、図８乃至１４に記載の建物用コンテナ１では、床板３、天板５、壁板７に断熱材３ｄ，５ｄ，７ｃが設けられているものの、床板３と壁板７との合わせ箇所Ｃ１（図９参照）において室内の空気が外気に接する下梁２に触れやすく、天板５と壁板７との合わせ箇所Ｃ２（図１０参照）において室内の空気が外気に接する上梁４に触れやすく、壁板７同士が直交する合わせ箇所Ｃ３（図１１参照）において室内の空気が外気に接する柱部材６に触れやすいため、室外の熱が室内に伝わりやすい。
【０００８】
さらに、建物用コンテナ１とこれに隣接する建物用コンテナ１の下梁２同士の当接箇所Ｃ４（図１２参照）、上梁４同士の当接箇所Ｃ５（図１３参照）、柱部材６同士の当接箇所Ｃ６（図１４参照）においては、室内の空気が外気に接する下梁２、上梁４及び柱部材６に広面積で接して室外の熱が室内に伝わるので、特に厳密な温度管理を要する植物工場等に建物用コンテナ１を使用する場合には、それらの箇所における熱の損失が空調等のコストを引き上げるという問題がある。
【０００９】
本発明は、上記の事情に鑑みてなされたもので、建物の室内の温度が室外の温度に影響され難い断熱構造を有する建物用コンテナを提供することを課題としている。
【課題を解決するための手段】
【００１０】
上記課題を解決するために、本発明に係る建物用コンテナは、下梁で囲まれて矩形状を呈する断熱性の床板と、上梁で囲まれて矩形状を呈する断熱性の天板と、前記床板の４つの角部及び前記天板の４つの角部をそれぞれ連結する４つの柱と、前記下梁の上面を覆う断熱性の下梁被覆部と、前記上梁の下面を覆う断熱性の上梁被覆部とを備えることを特徴とする。
【００１１】
この建物用コンテナは、下梁の上面を覆う断熱性の下梁被覆部と、上梁の下面を覆う断熱性の上梁被覆部とを備えているので、室内の空気が外気に接する下梁に触れることが断熱性の下梁被覆部により防止されるとともに、その空気が外気に接する上梁に触れることが断熱性の上梁被覆部により防止され、他の建物用コンテナと下梁同士、上梁同士を当接させて連結した場合に、各当接箇所において室内の温度が室外の温度に影響されること（室内の熱の損失）を抑制することができる。
【００１２】
前記下梁被覆部は前記床板と一体成形され、前記上梁被覆部は前記天板と一体成形されていてもよい。これにより、建物用コンテナを他の建物用コンテナと下梁同士、上梁同士を当接させて連結した場合に、連結箇所で床板同士及び天板同士がそれぞれ連続して室内の美観を向上させることができる。加えて、下梁被覆部を床板と別体にする場合に生じる両者間の隙間や、上梁被覆部を天板と別体にする場合に生じる両者間の隙間を通じて室内の空気が外気に接する下梁や上梁に触れることが防止され、それらの隙間に起因して室内の温度が室外の温度に影響されることも抑制することができる。
【００１３】
また、建物用コンテナが前記床板及び前記天板の間に設けられて室内を区画する断熱性の壁板を備え、該壁板の下部及び上部がそれぞれ前記下梁被覆部及び前記上梁被覆部を構成してもよい。これにより、室内の空気が床板と壁板との合わせ箇所において外気に接する下梁に触れる事態、及び、その空気が天板と壁板との合わせ箇所において外気に接する上梁に触れる事態が防止され、各合わせ箇所において室内の温度が室外の温度に影響されることを抑制することができる。
【００１４】
さらに、前記床板及び前記天板の間に設けられて室内を区画する断熱性の壁板が前記柱に支持され、該柱が前記壁板の室外側に位置してもよい。これにより、室内の空気が外気に接する柱に触れることが断熱性の壁板により防止され、他の建物用コンテナと柱同士を当接させて連結した場合に、当接箇所において室内の温度が室外の温度に影響されることを抑制することができる。
【発明の効果】
【００１５】
本発明によれば、複数の建物用コンテナが連結状態で建物を構成した場合に、その室内の温度が室外の温度に影響されることを抑制することができる。
【図面の簡単な説明】
【００１６】
【図１】発明を実施するための形態に係る建物用コンテナが連結してなる建物を示す斜視図である。
【図２】図１の建物のＧ−Ｇ線に沿った断面図である。
【図３】図１の建物のＨ−Ｈ線に沿った断面図である。
【図４】図１の建物のＩ−Ｉ線に沿った断面図である。
【図５】図１の建物のＪ−Ｊ線に沿った断面図である。
【図６】図１の建物のＫ−Ｋ線に沿った断面図である。
【図７】図１の建物のＬ−Ｌ線に沿った断面図である。
【図８】従来の建物用コンテナが連結してなる建物を示す斜視図である。
【図９】図８の建物のＡ−Ａ線に沿った断面図である。
【図１０】図８の建物のＢ−Ｂ線に沿った断面図である。
【図１１】図８の建物のＣ−Ｃ線に沿った断面図である。
【図１２】図８の建物のＤ−Ｄ線に沿った断面図である。
【図１３】図８の建物のＥ−Ｅ線に沿った断面図である。
【図１４】図８の建物のＦ−Ｆ線に沿った断面図である。
【発明を実施するための形態】
【００１７】
本発明を実施するための形態について、図面を用いて説明する。
【００１８】
図１は、本形態に係る建物用コンテナが連結してなる建物の概略構成を示し、図２は、図１のＧ−Ｇ線に沿った断面、図３は、図１のＨ−Ｈ線に沿った断面、図４は、図１のＩ−Ｉ線に沿った断面、図５は、図１のＪ−Ｊ線に沿った断面、図６は、図１のＫ−Ｋ線に沿った断面、図７は、図１のＬ−Ｌ線に沿った断面を示す。
【００１９】
この建物１０は、直方体状の建物用コンテナ１１が横方向（幅方向）に連結することにより構成され、建物用コンテナ１１は、鉄骨からなる下梁１２で囲まれた平面視矩形状の床板１３と、上梁１４で囲まれた平面視矩形状の天板１５と、床板１３の４つの角部１３ａ及び天板１５の４つの角部１５ａをそれぞれ連結する鉄骨からなる４つの柱部材１６と、天板１５及び床板１３により上下を区画された室内の横方向を区画する壁板１７とを備える。
【００２０】
床板１３は、室内側のステンレス製板体１３ｂと室外側の鋼製板体１３ｃとにより発泡ウレタンからなる断熱材１３ｄと鋼筋からなる補強材１３ｅとが挟まれて、天板１５は、室内側のステンレス製板体１５ｂと室外側の鋼製板体１５ｃとにより発泡ウレタンからなる断熱材１５ｄが挟まれて、壁板１７は、室内側のステンレス製板体１７ａと室外側の鋼製板体１７ｂとにより発泡ウレタンからなる断熱材１７ｃが挟まれて構成されている。
【００２１】
床板１３と壁板１７との合わせ箇所では、図２に示すように、壁板１７の下端部１７ｄが床板１３の板体１３ｂよりも下方まで潜り込んだ状態で下梁１２の上面１２ａにＬ字状金具１８を介して当接し、壁板１７と下梁１２、床板１３との隙間に発泡ウレタン製の断熱部１９が形成され、その室内側がシリコン２０でコーキング処理されている。
【００２２】
天板１５と壁板１７との合わせ箇所では、図３に示すように、壁板１７の上端部１７ｅが天板１５の板体１５ｂよりも上方まで潜り込んだ状態で上梁１４の下面１４ａにＬ字状金具２１及び発泡ウレタン製の断熱部２２を介して当接している。断熱部２２は、壁板１７と上梁１４、天板１５との隙間に形成され、その室内側がシリコン２３でコーキング処理されている。
【００２３】
壁板１７とこれに直交する壁板１７との合わせ箇所では、図４に示すように、建物用コンテナ１１の長手方向（ｘ方向）に延在する壁板１７の端部１７ｆに切欠部１７ｇが形成され、建物用コンテナ１１の長手方向と直交する方向（ｙ方向）に延在する壁板１７の端部１７ｆがその切欠部１７ｇに入り込んだ状態で、端部１７ｆ同士の隙間に発泡ウレタン製の断熱部２４が形成され、その室内側がシリコン２５でコーキング処理されている。なお、ｙ方向に延在する壁板１７の端部１７ｆには、後述する凸部と嵌合する凹部１７ｈが形成されるとともに、柱部材１６が当接している。柱部材１６は、また、断熱部２４及びＬ字状金具２６に当接し、ｙ方向に延在する壁板１７の室外側に位置して、その壁板１７を支持している。
【００２４】
壁板１７が存しない箇所における下梁１２の上面１２ａは、図５に示すように、床板１３と一体成形された下梁被覆部１３ｆにより覆われ、建物用コンテナ１１が他の建物用コンテナ１１と連結して下梁１２同士が当接した状態では、当接箇所において隙間を埋める発泡ウレタン製の断熱部２７が形成されて、その室内側がシリコン２８でコーキング処理されている。これにより、下梁被覆部１３ｆ同士が、断熱部２７及びシリコン２８を介して連続している。
【００２５】
壁板１７が存しない箇所における上梁１４の下面１４ａは、図６に示すように、天板１５と一体成形された上梁被覆部１５ｆにより覆われ、建物用コンテナ１１が他の建物用コンテナ１１と連結して上梁１４同士が当接した状態では、当接箇所において隙間を埋める発泡ウレタン製の断熱部２９が形成されて、その室内側がシリコン３０でコーキング処理されている。これにより、上梁被覆部１５ｆ同士が、断熱部２９及びシリコン３０を介して連続している。
【００２６】
また、建物用コンテナ１１が他の建物用コンテナ１１とｙ方向に連結して柱部材１６同士が当接した状態では、図７に示すように、柱部材１６同士がボルト３１及びナット３２により締結されるとともに、鋼板製のカバー３３により覆われる。ここでは、ｙ方向に延在する壁板１７の一方の端部１７ｆに凹部１７ｈが、他方の端部１７ｆに凸部１７ｉが形成され、一の建物用コンテナ１１の凸部１７ｉが他の建物用コンテナ１１の凹部１７ｈに嵌合することによって、壁板１７同士の密着性が高まり両者の間に断熱部等を形成することが不要となっている。
【００２７】
本形態に係る建物用コンテナ１１は、下梁１２の上面１２ａを覆う断熱性の下梁被覆部１３ｆと、上梁１４の下面１４ａを覆う断熱性の上梁被覆部１５ｆとを備え、さらには、壁板１７の下端部１７ｄが下梁１２の上面１２ａを覆い、壁板１７の上端部１７ｅが上梁１４の下面１４ａを覆うので、建物１０の室内の空気が外気に接する下梁１２に触れることが下梁被覆部１３ｆ及び下端部１７ｄにより防止されるとともに、その空気が外気に接する上梁１４に触れることが上梁被覆部１５ｆ及び上端部１７ｅにより防止され、建物用コンテナ１１を他の建物用コンテナ１１と下梁１２同士、上梁１４同士を当接させて連結した場合に、各当接箇所並びに床板と壁板との合わせ箇所及び天板と壁板との合わせ箇所において室内の温度が室外の温度に影響されること（室内の熱の損失）を抑制することができる。
【００２８】
また、下梁被覆部１３ｆは床板１３と一体成形され、上梁被覆部１５ｆは天板１５と一体成形されているので、建物用コンテナ１１を他の建物用コンテナ１１と下梁１２同士、上梁１４同士を当接させて連結した場合に、連結箇所で床板１３同士及び天板１５同士がそれぞれ連続して建物１の室内の美観を向上させることができる。加えて、下梁被覆部１３ｆを床板１３と別体にする場合に生じる両者間の隙間や、上梁被覆部１５ｆを天板１５と別体にする場合に生じる両者間の隙間を通じて室内の空気が外気に接する下梁１２や上梁１４に触れることが防止され、それらの隙間に起因して室内の温度が室外の温度に影響されることも抑制することができる。
【００２９】
さらに、床板１３及び天板１５の間に設けられて室内を区画する断熱性の壁板１７が柱部材１６に支持され、この柱部材１６が壁板１７の室外側に位置しているので、建物１の室内の空気が外気に接する柱部材１６に触れることが壁板１７により防止され、建物用コンテナ１１を他の建物用コンテナ１１と柱部材１６同士を当接させて連結した場合に、接箇所において室内の温度が室外の温度に影響されることを抑制することができる。
【００３０】
以上、本発明を実施するための形態について例示したが、本発明の実施形態は上述したものに限られず、発明の趣旨を逸脱しない範囲で適宜変更等してもよい。
【００３１】
例えば、上記形態では建物用コンテナ１１をｙ方向のみに連結したが、ｘ方向又は高さ方向（ｚ方向）に連結して連接させてもよく、天板１５の内部にも床板１３と同様に補強材を配設してもよい。
【００３２】
また、各合わせ箇所における態様も上述したものに限定されるものではなく、例えば図５においては下梁１２の一部（上部）が床板１３に入り込んでいるかのように構成され、図６においては上梁１４の一部（下部）が天板１５に入り込んでいるかのように構成されているが、これらと同様に、図４や図７において柱部材１６の一部が壁板１７に入り込んでいるかのように構成してもかまわない。
【産業上の利用可能性】
【００３３】
本発明は、厳密な温度管理を要する植物工場等の建物を構成する建物用コンテナに好適に利用可能である。
【符号の説明】
【００３４】
１０    建物
１１    建物用コンテナ
１２    下梁
１２ａ  （下梁の）上面
１３    床板
１３ａ  （床板の）角部
１３ｆ  下梁被覆部
１４    上梁
１２ａ  （上梁の）下面
１５    天板
１５ａ  （天板の）角部
１５ｆ  上梁被覆部
１６    柱部材（柱）
１７    壁板
１７ｄ  （壁板の）下端部（下部）
１７ｅ  （壁板の）上端部（上部）
【図１】
2018096179.tif 000003
【図２】
2018096179.tif 000004
【図３】
2018096179.tif 000005
【図４】
2018096179.tif 000006
【図５】
2018096179.tif 000007
【図６】
2018096179.tif 000008
【図７】
2018096179.tif 000009
【図８】
2018096179.tif 000010
【図９】
2018096179.tif 000011
【図１０】
2018096179.tif 000012
【図１１】
2018096179.tif 000013
【図１２】
2018096179.tif 000014
【図１３】
2018096179.tif 000015
【図１４】
2018096179.tif 000016